(57)【要約】【課題】  緩衝材の厚みを厚くした場合でも、表裏を簡単に逆にすることができるリバーシブルタイプの拳サポーターを提供する。【解決手段】  着用者の手指、手甲および手首にそれぞれ対応する手指部２Ａ、手甲部２Ｂおよび手首部２Ｃを一体に連設してなり、表地２０と着用者の手甲の側に配置される裏地２１との間に緩衝材３０〜３３が内蔵された板状の本体部２と、本体部２の裏地２１の側に配設され、着用者の第２指ないし第５指の周りに巻回される手指ベルト４０，４１と、本体部２の裏地２１の側に配設され、着用者の手首の周りに巻回される手首ベルト４４と、本体部２に取り付けられた、着用者の第１指が挿入される筒状の第１指挿入部５とを設ける。【選択図】  図２
2005334179.tif 000002
【特許請求の範囲】
【請求項１】
リバーシブルタイプの拳サポーターであって、
着用者の手指、手甲および手首にそれぞれ対応する手指部、手甲部および手首部を一体に連設してなり、表地と着用者の手甲の側に配置される裏地との間に緩衝材が内蔵された板状の本体部と、
前記本体部の前記裏地の側に配設され、着用者の第２指ないし第５指の周りに巻回される手指ベルトと、
前記本体部の前記裏地の側に配設され、着用者の手首の周りに巻回される手首ベルトと、
前記本体部に取り付けられ、着用者の第１指が挿入される筒状の第１指挿入部と、
を備えたリバーシブルタイプの拳サポーター。
【請求項２】
請求項１において、
前記緩衝材が、前記手指部および前記手甲部の間で前後方向に分離されており、前記手指部および前記手甲部にそれぞれ配置される別個の部材から構成されている、
ことを特徴とするリバーシブルタイプの拳サポーター。
【請求項３】
請求項２において、
前記手指部に配置される前記緩衝材が、着用者の手指の基節骨骨頭に対応する位置で前後方向に分離された前端側部材および後端側部材から構成されている、
ことを特徴とするリバーシブルタイプの拳サポーター。
【請求項４】
請求項３において、
前記後端側部材の厚みが、前記前端側部材の厚みよりも厚くなっている、
ことを特徴とするリバーシブルタイプの拳サポーター。
【請求項５】
請求項４において、
前記後端側部材の厚みが１５〜２５ｍｍであり、前記前端側部分の厚みが６〜１０ｍｍである、
ことを特徴とするリバーシブルタイプの拳サポーター。
【請求項６】
請求項２において、
前記手甲部に配置される前記緩衝材が、左右方向に分離された少なくとも２つの部材から構成されている、
ことを特徴とするリバーシブルタイプの拳サポーター。
【請求項７】
請求項６において、
前記手甲部に配置される前記緩衝材が、左右方向に分離された３つの部材から構成されている、
ことを特徴とするリバーシブルタイプの拳サポーター。
【請求項８】
請求項１において、
前記手指部の先端が、着用者の第２指および第３指に対応する第１の分割手指部と、第４指および第５指に対応する第２の分割手指部とに分割されており、前記手指ベルトが、第１の分割手指部に設けられた第１の手指ベルトと、第２の分割手指部に設けられた第２の手指ベルトとを有している、
ことを特徴とするリバーシブルタイプの拳サポーター。
【請求項９】
請求項８において、
前記第１の分割手指部および前記第２の分割手指部がそれぞれ別個の緩衝材を内蔵している、
ことを特徴とするリバーシブルタイプの拳サポーター。
【請求項１０】
請求項８において、
前記手指ベルトが、着用者の第２指〜第５指を巻回する第３の手指ベルトをさらに備えている、
ことを特徴とするリバーシブルタイプの拳サポーター。
【請求項１１】
請求項１において、
前記手指ベルトが、伸縮自在なゴム製ベルトである、
ことを特徴とするリバーシブルタイプの拳サポーター。
【請求項１２】
請求項１において、
前記手指ベルトが、面ファスナーにより開閉自在に構成されている、
ことを特徴とするリバーシブルタイプの拳サポーター。
【請求項１３】
請求項１において、
前記手首ベルトが、伸縮自在なゴム製ベルトである、
ことを特徴とするリバーシブルタイプの拳サポーター。
【請求項１４】
請求項１において、
前記手首ベルトが、面ファスナーにより開閉自在に構成されている、
ことを特徴とするリバーシブルタイプの拳サポーター。
【請求項１５】
請求項１において、
前記第１指挿入部が、面ファスナーにより開閉自在に構成されている、
ことを特徴とするリバーシブルタイプの拳サポーター。
【発明の詳細な説明】
【技術分野】
【０００１】
本発明は、空手や拳法などの格闘技に用いられるリバーシブルタイプの拳サポーターに関する。
【背景技術】
【０００２】
空手や拳法などの格闘技においては、相手への打撃を緩和するとともに拳を保護する目的で、拳サポーター（別名：拳法グローブまたは空手グローブ）が用いられている。従来の拳サポーターは、実用新案登録第３０８６９３７号公報に示すように、全体が筒状に構成された部材であって、手の甲および掌を被うととも親指を通すための開孔が形成された本体部と、本体部の先端から二股に分かれて延びるとともに指を被う指部と、本体部から指部の逆側に延びるとともに手首を被う手首部とを備えており、表裏兼用のリバーシブルに構成されている。
【０００３】
また拳サポーターには、一般に、緩衝材が内装されているが、この緩衝材は、打撃を緩和する観点からはある程度硬質の部材で厚みの厚い方が好ましい。ところが、前記従来の拳サポーターの場合、筒状（または手袋状）部材をリバーシブルにして用いているため、表裏を逆にする際には、緩衝材ごと手首部の中を通して裏返す必要があり、緩衝材をあまり分厚くすると、表裏を簡単に逆にすることができないという問題が生じる。
【特許文献１】実用新案登録第３０８６９３７号公報（図１参照）
【発明の開示】
【発明が解決しようとする課題】
【０００４】
本発明が解決しようとする課題は、緩衝材の厚みを厚くした場合でも、表裏を簡単に逆にすることができるリバーシブルタイプの拳サポーターを提供することにある。
【課題を解決するための手段】
【０００５】
請求項１の発明に係るリバーシブルタイプの拳サポーターは、着用者の手指、手甲および手首にそれぞれ対応する手指部、手甲部および手首部を一体に連設してなり、表地と着用者の手甲の側に配置される裏地との間に緩衝材が内蔵された板状の本体部と、本体部の裏地の側に配設され、着用者の第２指ないし第５指の周りに巻回される手指ベルトと、本体部の裏地の側に配設され、着用者の手首の周りに巻回される手首ベルトと、本体部に取り付けられ、着用者の第１指が挿入される筒状の第１指挿入部とを備えている。
【０００６】
請求項１の発明において、拳サポーターを装着する際には、まず、手首ベルトに着用者の手を通して、手首の周りに手首ベルトを巻回させる。次に、手甲の側に本体部の裏地を配置した状態で、手指ベルトに手指の第２指ないし第５指を通すとともに、第１指を第１指挿入部に挿入する。このようにして、一方の手に拳サポーターが装着される。
【０００７】
次に、拳サポーターを表裏逆にして用いる場合には、手指ベルトおよび手首ベルトを本体部の表地側に折り返すとともに、筒状の第１指挿入部の内側部分を外側に折り返す（すなわち裏返す）ことにより、本体部の表地および裏地を逆転させる。この状態から、上述の場合と同様の手順により、今度は反対側の手に拳サポーターが装着される。このようにして、拳サポーターをリバーシブルタイプで使用できる。
【０００８】
このように請求項１の発明によれば、拳サポーターの本体部が板状の部材であるため、拳サポーターを表裏逆にする際には、本体部を動かすことなく、手指ベルト、手首ベルトおよび第１指挿入部を折り返す（または裏返す）だけでよい。これにより、緩衝材の厚みを厚くした場合でも、表裏を簡単に逆にすることができる。
【０００９】
なお、本明細書中において、「手指」とは、指の先端からいわゆるナックル（knuckle：指を曲げたときに突起する指関節部）までの領域を意味している。言い換えれば、解剖学上、末節骨の骨頭部から基節骨の骨底部（または中手骨の骨頭部）までの領域を意味している。また、「手甲」とは、解剖学上、中手骨および手根骨の領域を意味している。
【００１０】
請求項２の発明においては、緩衝材が、手指部および手甲部の間で前後方向に分離されており、手指部および手甲部にそれぞれ配置される別個の部材から構成されている。この場合には、ナックルの部分で本体部が屈曲しやすくなっており、これにより、手指および手甲に対するフィット感を向上できる。
【００１１】
請求項３の発明においては、手指部に配置される緩衝材が、着用者の手指の基節骨骨頭に対応する位置で前後方向に分離された前端側部材および後端側部材から構成されている。この場合には、拳を握り締めた際に手指部分の屈曲に応じて本体部が屈曲しやすくなっており、これにより、手指に対するフィット感を向上できる。
【００１２】
請求項４の発明においては、後端側部材の厚みが前端側部材の厚みよりも厚くなっている。これにより、本体部において実際の打撃面となる部分に十分な厚みの緩衝材を確保できる。
【００１３】
請求項５の発明においては、後端側部材の厚みが１５〜２５ｍｍであり、前端側部分の厚みが６〜１０ｍｍになっている。
【００１４】
請求項６の発明においては、手甲部に配置される緩衝材が、左右方向に分離された少なくとも２つの部材から構成されている。この場合には、手甲部を着用者の手甲のラウンド形状に沿わせやすくなり、これにより、手甲に対するフィット感を向上できる。
【００１５】
請求項７の発明においては、手甲部に配置される緩衝材が、左右方向に分離された３つの部材から構成されている。この場合には、手甲部を着用者の手甲のラウンド形状に一層沿わせやすくなり、これにより、手甲に対するフィット感を一層向上できる。
【００１６】
請求項８の発明においては、手指部の先端が、着用者の第２指および第３指に対応する第１の分割手指部と、第４指および第５指に対応する第２の分割手指部とに分割されており、手指ベルトが、第１の分割手指部に設けられた第１の手指ベルトと、第２の分割手指部に設けられた第２の手指ベルトとを有している。
【００１７】
この場合には、手指部が第１および第２の分割手指部に分割されて、各分割手指部に独立した手指ベルトが設けられるので、着用時において手指に対するフィット感を一層向上できる。
【００１８】
請求項９の発明においては、第１の分割手指部および第２の分割手指部がそれぞれ別個の緩衝材を内蔵している。
【００１９】
請求項１０の発明においては、手指ベルトが、着用者の第２指〜第５指を巻回する第３の手指ベルトをさらに備えている。これにより、本体部をより確実に着用者の手指に沿わせることができるようになる。
【００２０】
請求項１１の発明においては、手指ベルトが伸縮自在なゴム製ベルトから構成されている。この場合には、着用者の手指を本体部の裏地に対して容易に密着できるようになる。また、手指ベルトを本体部の表地側に容易に折り返せるようになる。
【００２１】
請求項１２の発明においては、手指ベルトが面ファスナーにより開閉自在に構成されている。この場合には、手指ベルトを手指に装着する際に面ファスナーの係合を予め外しておくことで、手指ベルトの装着を容易に行えるようになる。また、本体部の表地側への折返しも容易に行えるようになる。
【００２２】
請求項１３の発明においては、手首ベルトが伸縮自在なゴム製ベルトから構成されている。この場合には、着用者の手首を手首部の裏地に対して容易に密着できるようになる。また、手首ベルトを本体部の表地側に容易に折り返せるようになる。
【００２３】
請求項１４の発明においては、手首ベルトが面ファスナーにより開閉自在に構成されている。この場合には、手首ベルトを手首に装着する際に面ファスナーの係合を予め外しておくことで、手首ベルトの装着を容易に行えるようになる。また、本体部の表地側への折返しも容易に行えるようになる。
【００２４】
請求項１５の発明においては、第１指挿入部が面ファスナーにより開閉自在に構成されている。この場合には、第１指挿入部を第１指に装着する際に面ファスナーの係合を予め外しておくことで、第１指への装着を容易に行えるようになる。また、第１指挿入部を簡単に裏返せるようになる。
【発明の効果】
【００２５】
本発明によれば、リバーシブルタイプの拳サポーターにおいて、着用者の手甲に宛がわれる本体部を板状にするとともに、本体部に筒状の第１指挿入部を設け、本体部の裏地の側に手指ベルトおよび手首ベルトを取り付けるようにしたので、緩衝材の厚みを厚くした場合でも、表裏を簡単に逆にできるようになる。
【発明を実施するための最良の形態】
【００２６】
以下、本発明の実施例を添付図面に基づいて説明する。
図１ないし図６は、本発明の一実施例によるリバーシブルタイプの拳サポーターを説明するための図であって、図１はリバーシブルタイプの拳サポーター（右手用）の表面図、図２はその裏面図、図３は図１の第４指側から見た側面図、図４は拳サポーターを着用した状態を示す図、図５は表裏を逆にした拳サポーターの表面図、図６はその裏面図である。
【００２７】
図１ないし図３に示すように、拳サポーター１は、板状の本体部２を有している。本体部２は、表地２０および裏地２１の間に緩衝材３０〜３３が内蔵された部材である。本体部２の外周形状は、概ね手の外周形状に沿う形状を有している。すなわち、本体部２は、着用者の手指、手甲および手首にそれぞれ対応する手指部２Ａ，手甲部２Ｂおよび手首部２Ｃを一体に連設して構成されている。手指部２Ａの先端は、着用者の第２指および第３指に対応する第１の分割手指部２５と、第４指および第５指に対応する第２の分割手指部２６とに二股に分割されている。
【００２８】
本体部２の裏地２１側において、第１の分割手指部２５には、第２指および第３指の回りに巻回される第１の手指ベルト４０が取り付けられており、第２の分割手指部２６には、第４指および第５指の回りに巻回される第２の手指ベルト４１が取り付けられている。手指部２Ａの後端側には、着用者の第２指〜第５指の周りに巻回される第３の手指ベルト４２が配設されている。第３の手指ベルト４２は、その両端に取り付けられた帯状片４３を介して手指部２Ａに固定されている。本体部２の裏地２１側において、手首部２Ｃには、着用者の手首の周りに巻回される手首ベルト４４が取り付けられている。
【００２９】
第１ないし第３の手指ベルト４０，４１，４２および手首ベルト４４は、好ましくは、伸縮自在なゴム製ベルトから構成されている。なお、これらのベルトは、面ファスナー（図示せず）により開閉自在に構成されていてもよく、この場合、各ベルトは、面ファスナーを介して係脱自在に設けられた一対のベルト部材から構成される。
【００３０】
本体部２の手甲部２Ｂには、着用者の第１指が挿入される筒状の第１指挿入部５が設けられている。第１指挿入部５は、本体部２の表地２０および裏地２１とそれぞれ同様の素材からなる表地５０および裏地５１から構成されており、これら表地５０および裏地５１を、緩衝材を内装させることなく重ね合わせて縫製したものである。図２には、筒状にされる前の展開状態の第１指挿入部５が一点鎖線で示されている。なお、第１指挿入部５は、面ファスナー（図示せず）により開閉自在に構成されていてもよい。
【００３１】
緩衝材３０は、第１の分割手指部２５に対応して設けられており、緩衝材３１は、第２の分割手指部２６に対応して設けられている。緩衝材３０，３１（前端側部材）と緩衝材３２（後端側部材）とは、着用者の手指の基節骨骨頭に対応する位置で前後方向に分離されている。
【００３２】
後端側部材である緩衝材３２の厚みｔ１は、前端側部材であるの緩衝材３０，３１の厚みｔ２よりも厚くなっている。たとえば、緩衝材３２の厚みｔ１は１５〜２５ｍｍであり、緩衝材３０，３１の厚みｔ２は６〜１０ｍｍである。緩衝材３３の厚みｔ３は、緩衝材３０，３１の厚みｔ２と同程度になっている。
【００３３】
緩衝材３２と緩衝材３３とは、手指部２Ａおよび手甲部２Ｂの境界部分で前後方向に分離されている。手甲部２Ｂに配置される緩衝材３３は、左右方向に分離された２つ以上の部材から構成されているのが好ましい。この例では、左右方向に分離された３つの部材から構成されている。
【００３４】
また、緩衝材３０，３１と緩衝材３２との間、緩衝材３２と緩衝材３３との間、隣り合う各緩衝材３３の間、および緩衝材３３と手首部２Ｃとの境界部分において、表地２０および裏地２１は互いに縫製されて密着している。これにより、各緩衝材が互いに分離されるとともに、表地２０および裏地２１の間で各緩衝材が移動しないようになっている。なお、各図においては、これらの縫製個所の縫い目を省略して示している。その一方、前記各縫製個所においては、表地２０および裏地２１を縫製することなく、表地２０および裏地２１をヒートシールなどで溶着することにより密着させるようにしてもよい。
【００３５】
上述のように構成される拳サポーター１を着用者が着用する際には、まず、手首ベルト４４に着用者の右手を通して、手首の周りに手首ベルト４４を巻回させる。次に、手甲の側に本体部２の裏地２１を宛がった状態で、第１の手指ベルト４０に手指の第２指および第３指を通すとともに、第２の手指ベルト４１に手指の第４指および第５指を通す。さらに、第１指を第１指挿入部５に挿入する。このようにして、右手に拳サポーター１が装着される（図４参照）。
【００３６】
次に、拳サポーター１を表裏逆にして用いる場合には、各手指ベルト４０，４１，４２および手首ベルト４４を本体部２の表地２０の側に折り返す。さらに、第１指挿入部５の内側部分を外側に折り返す（つまり裏返す）ことにより、本体部２の表地２０および裏地２１を逆転させる（図５および図６参照）。この状態から、上述の場合と同様の手順により、左手に拳サポーター１が装着される。このようにして、拳サポーター１をリバーシブルタイプで使用できる。
【００３７】
この場合には、拳サポーター１の本体部２が板状の部材であるため、拳サポーター１を表裏逆にする際には、本体部２を動かすことなく、各手指ベルト４０〜４２、手首ベルト４４および第１指挿入部５を折り返す（または裏返す）だけでよい。これにより、緩衝材３０〜３３の厚みを厚くした場合でも、表裏を簡単に逆にすることができる。
【００３８】
また、この場合には、緩衝材３２，３３が、手指部２Ａおよび手甲部２Ｂの境界部分で前後方向に分離されており、手指部２Ａおよび手甲部２Ｂにそれぞれ配置される別個の部材から構成されている。この場合には、ナックルの部分で本体部２が屈曲しやすくなっており、これにより、手指および手甲に対するフィット感を向上できる。
【００３９】
さらに、この場合には、手指部２Ａに配置される緩衝材が、着用者の手指の基節骨骨頭に対応する位置で前後方向に分離された前端側部材である緩衝材３０，３１と、後端側部材である緩衝材３３とから構成されている。これにより、拳を握り締めた際に手指部分の屈曲に応じて本体部２が屈曲しやすくなっており、手指に対するフィット感を向上できる。
【００４０】
また、上述したように、緩衝材の厚みに関しては、緩衝材３２の厚みがもっとも厚くなっており、これにより、本体部２において実際の打撃面となる部分に十分な厚みの緩衝材を確保できる。
【００４１】
さらに、手甲部２Ｂに配置される緩衝材３３が、左右方向に分離された３つの部材から構成されているので、手甲部２Ｂを着用者の手甲のラウンド形状に沿わせやすくなり、これにより、手甲に対するフィット感を向上できる。
【００４２】
また、手指部２Ａが第１および第２の分割手指部２５，２６に分割されて、各分割手指部に別個の手指ベルト４０，４１が設けられるので、着用時において手指に対するフィット感を一層向上できる。さらに、着用者の第２指〜第５指を巻回する第３の手指ベルト４２を備えているので、本体部２をより確実に着用者の手指に沿わせることができるようになる。
【００４３】
さらに、各手指ベルト４０〜４２が伸縮自在なゴム製ベルトから構成されているので、着用者の手指を本体部２の裏地２１に対して容易に密着できるようになる。同様に、手首ベルト４４が伸縮自在なゴム製ベルトから構成されているので、着用者の手首を手首部２Ｃの裏地２１に対して容易に密着できるようになる。また、この場合、各手指ベルト４０〜４２および手首ベルト４４を本体部２の表地２０側に容易に折り返せるようになる。
【００４４】
なお、手指ベルト４０〜４２が面ファスナーにより開閉自在に構成されている場合には、手指ベルト４０〜４２を手指に装着する際に面ファスナーの係合を予め外しておくことで、手指への装着を容易に行えるようになる。同様に、手首ベルト４４が面ファスナーにより開閉自在に構成されている場合には、手首ベルト４４を手首に装着する際に面ファスナーの係合を予め外しておくことで、手首への装着を容易に行えるようになる。第１指挿入部５が面ファスナーにより開閉自在に構成されている場合には、第１指挿入部５を第１指に装着する際に面ファスナーの係合を予め外しておくことで、第１指への装着を容易に行えるようになる。また、これらの場合には、本体部２の表地２０側への折返し（または裏返し）も容易に行えるようになる。
【図面の簡単な説明】
【００４５】
【図１】本発明の一実施例によるリバーシブルタイプの拳サポーター（右手用）の表面図である。
【図２】拳サポーター（図１）の裏面図である。
【図３】拳サポーター（図１）を第４指側から見た側面図である。
【図４】拳サポーター（図１）を着用した状態を示す図である。
【図５】表裏を逆にした拳サポーターの表面図である。
【図６】拳サポーター（図５）の裏面図である。
【符号の説明】
【００４６】
１：  拳サポーター
２：  本体部
２０：  表地
２１：  裏地
２５：  第１の分割手指部
２６：  第２の分割手指部
２Ａ：  手指部
２Ｂ：  手甲部
２Ｃ：  手首部
３０〜３３：  緩衝材
４０：  第１の手指ベルト
４１：  第２の手指ベルト
４２：  第３の手指ベルト
４４：  手首ベルト
５：  第１指挿入部
【図１】
2005334179.tif 000003
【図２】
2005334179.tif 000004
【図３】
2005334179.tif 000005
【図４】
2005334179.tif 000006
【図５】
2005334179.tif 000007
【図６】
2005334179.tif 000008